(57)【要約】      （修正有）【課題】開口率と止水率の両方を向上させることができるガラリを提供する。【解決手段】縦羽根板１５が見付方向に複数並設されたガラリ１０であって、縦羽根板は、少なくとも第１の湾曲部ＣＰ１と第２の湾曲部ＣＰ２を有し、第１の湾曲部は、見付け方向の一方側に凸面を有し、第２の湾曲部は、見付け方向の他方側に凸面を有し、外見付部の内側には第１のビス孔形成部Ｂ１が設けられ、該第１のビス孔形成部には、第１の湾曲部の一方の端部が連接され、第１の湾曲部の他方の端部には、見付け方向の一方側に突出して、第１の止水溝Ｓ１ａと第１の誘導フィンＦ１が形成された第１の止水部Ｓ１が設けられ、かつ、見付け方向の他方側に突出して、第２の止水溝Ｓ２ａが形成された第２の止水部Ｓ２が設けられ、第１の湾曲部と、第１の止水部と、第２の止水部と、第２の湾曲部は、見込み方向に沿って連設されていることを特徴とする。【選択図】図１
0003208185.tif 000002
【実用新案登録請求の範囲】
【請求項１】
外見付け部と内見付け部とを有するガラリ用の縦羽根板が見付け方向に複数並設されたガラリであって、
前記縦羽根板は、少なくとも第１の湾曲部と第２の湾曲部を有し、前記第１の湾曲部は、見付け方向の一方側に凸面を有し、前記第２の湾曲部は、前記見付け方向の他方側に凸面を有し、
前記外見付部の内側には第１のビス孔形成部が設けられ、該第１のビス孔形成部には、前記第１の湾曲部の一方の端部が連接され、
前記第１の湾曲部の他方の端部には、前記見付け方向の一方側に突出して、第１の止水溝と第１の誘導フィンが形成された第１の止水部が設けられ、かつ、前記見付け方向の他方側に突出して、第２の止水溝が形成された第２の止水部が設けられ、
前記第１のビス孔形成部と、前記第１の湾曲部と、前記第１の止水部と、前記第２の止水部と、前記第２の湾曲部は、見込み方向に沿って連設され、
前記内見付け部には、第３の止水溝と第２の誘導フィンとが形成された第３の止水部と、第２のビス孔形成部とが、見付け方向に連接して設けられ、
前記第１の止水溝、前記第２の止水溝、前記第３の止水溝の底部には、曲面状に形成されて水滴状の雨水を集水可能な水滴誘導溝が形成され、
前記第１の誘導フィンは、前記第１の湾曲部の曲面に沿って誘導された雨風を、前記見付方向の一方側に並設された縦羽根板の第２の止水部へ誘導可能に構成されている
ことを特徴とするガラリ。
【請求項２】
前記第２の湾曲部の内側端部には、前記見付け方向の他方側に突出して第４の止水溝と第３の誘導フィンが形成された第４の止水部が連接され、
前記第４の止水溝の底部には、曲面状に形成されて水滴状の雨水を集水可能な水滴誘導溝が形成され、
前記第３の誘導フィンは、前記第２の湾曲部の曲面に沿って誘導された雨風を、前記見付け方向の他方側に並設された縦羽根板の前記第３の止水部へ誘導可能に構成され、
前記第２の湾曲部と、前記第４の止水部と、前記第２のビス孔形成部とは、見込み方向に沿って連設されている
ことを特徴とする請求項１に記載のガラリ。
【請求項３】
前記第２の湾曲部の内側端部には、前記見付け方向の他方側に突出して第４の止水溝と第３の誘導フィンが形成された第４の止水部が連設され、かつ、前記見付け方向の一方側に突出して、第５の止水溝が形成された第５の止水部が連接され、
前記第５の止水部に連接して、前記見付方向の一方側に凸面を有する第３の湾曲部が形成され、該第３の湾曲部と前記第２のビス孔との間には、前記見付方向の一方側に突出して、第６の止水溝と第４の誘導フィンが形成された第６の止水部が設けられ、
前記第４の止水溝、前記第５の止水溝、前記第６の止水溝の底部には、曲面状に形成されて水滴状の雨水を集水可能な水滴誘導溝が形成され、
前記第３の誘導フィンは、前記第２の湾曲部の曲面に沿って誘導された雨風を、前記見付方向の他方側に並設された縦羽根板の前記第５の止水部又は前記第６の止水部へ誘導可能に構成され、
前記第４の誘導フィンは、前記第５の止水部又は前記第６の止水部で止水されなかった雨水を、前記見付方向の一方側に並設された縦羽根板の第３の止水部へ誘導可能に構成され、
前記第２の湾曲部と、前記第４の止水部と、前記第５の止水部と、前記第６の止水部と、前記第２のビス孔形成部とは、見込み方向に沿って連設されている
ことを特徴とする請求項１に記載のガラリ。
【請求項４】
少なくとも、前記第１の湾曲部の凸面、又は、前記第２の湾曲部の凸面のいずれか一方に、止水溝を有する止水部が形成されている
ことを特徴とする請求項１乃至請求項３のいずれか１項に記載のガラリ。
【考案の詳細な説明】
【技術分野】
【０００１】
本考案は、開口率と止水率の両方を向上させることができるガラリに関する。
【背景技術】
【０００２】
従来、工場、発電所、体育館、倉庫、ビル、家屋等の建物の室内と室外の空気を入れ換えるために、建物の窓、ドア、外壁等に、複数の羽根板を所定形状の枠体に設けてなるガラリ（または、「換気ルーバ」ともいう。）が設置される。ガラリは、外側開口面と内側開口面を有し、外側開口面が建物外側を臨み、内側開口面が建物内側（例えば、室内）を臨む状態で設置される。羽根板には、横羽根板と縦羽根板があり、ガラリには、枠体に横羽根板だけ、又は、縦羽根板だけを設けた一層型ガラリと、枠体に横羽根板及び縦羽根板を設けた二層型ガラリがある。二層型ガラリの場合、通常、横羽根板が外側開口面側に設けられ、縦羽根板が内側開口面側に設けられる。複数の羽根板（横羽根板、縦羽根板）は、それぞれ、等間隔のピッチで見付け方向に並設され、隣接する羽根板同士の間には、換気のための換気孔が形成される。この換気孔の入り口を外側開口部、出口を内側開口部、内部を内部空間部という。なお、外側開口部と内側開口部を総称して、単に開口部ということがある。
【０００３】
ガラリは、上述したように換気を目的とするものであるが、単に開口部・内部空間部を広くして換気性能を向上させると、止水（「防水」、「漏水」ともいう。）性能が劣化してしまい、逆に、止水性能を上げようとして開口部を狭くしたり、内部空間部の止水部をむやみに大きくあるいは増やしたりすると、換気性能が劣化してしまうので、この相反する課題を同時に解決して、開口率と止水率を高めることは非常に困難であった。したがって、従来の技術において、開口率と止水率の両方を改善することが記載された特許文献は数少ない。
【０００４】
ここで、開口率の定義を示す。例えば、特許文献１には、「開口面３から開口空間６を通って他方の開口面３へ抜ける間の間隙」の「最小間隙をＳ１」、「ガラリの羽根ピッチをＰ」とすると、「概略による有効開口率Ｘａ」は、「Ｘａ＝Ｓ１／Ｐ×１００」で求めることができると記載されている（段落「０００２」〜「０００７」、図３、図４等参照。）。なお、「開口面３」、「開口空間６」、「他方の開口面３」は、それぞれ、上記の「外側開口部」、「内部空間部」、「内側開口部」に対応している。
【０００５】
上記特許文献１の「ガラリ」は、「横型羽根」のみで構成されているが、「有効開口率」（単に「開口率」ともいう。）は、「縦型羽根」のみの構成でも同様に考えればよい。つまり、羽根板が、横羽根板、縦羽根板に拘わらず、「開口面から開口空間を通って他方の開口面へ抜ける間の最小間隙をＳ１」、「ガラリの羽根ピッチをＰ」として、「概略による有効開口率Ｘａ＝Ｓ１／Ｐ×１００」を求めればよい。なお、実際には、「有効開口率」は、特許文献１にも記載されているように「Ｓ１」、「Ｐ」以外のパラメータが考慮されることもあるが（特許文献１の段落「０００５」、図４等参照。）、本考案においては、「概略による開口率Ｘａ＝Ｓ１／Ｐ×１００」を、「開口率」と定義して説明する。
【０００６】
また、建築基準法では、居室の必要換気量が定められており、例えば、ある居室の必要換気量に対し、開口率の高いガラリは、開口率の低いガラリに対して、枠体を小さくすることができる。枠体が小さくなれば、コストも下がり、施工も簡単になる。しかしながら、上述したように、単に開口率を上げるだけでは、止水率が下がるという問題が発生する。また、横羽根板と縦羽根板から構成された二層型のガラリは、通常、横羽根板のみ、又は、縦羽根板のみのガラリに比べ、止水率は向上させることができるものの、構成が複雑になるので、ガラリの製造コスト及び販売価格が高くなる。一方、ガラリを建物等に設置した際に、縦羽根板のガラリよりも横羽根板のガラリの方が、美観的にユーザに好まれることは周知である。したがって、二層型のガラリの方が需要が多い。そこで、本考案では、一層型ガラリ及び二層型ガラリにおいて、開口率と止水率の両方を高め、さらに、二層型ガラリでも枠体サイズを小さくすることができるように鋭意工夫されている。
【０００７】
以下、従来技術としての、ガラリについて説明する。例えば、上記の特許文献１には、「羽根の開口遮蔽面を内方へ湾曲した弧状面としたことを特徴とするガラリの山形羽根」（「請求項１」、図１〜図３等参照。）が記載されている。
【０００８】
また、特許文献２には、「建物の通気口等に設置すべく、前記建物等の躯体に取付けられているガラリ枠体と、このガラリ枠体における左右の両縦枠間に、前記通気用の間隔を設け多数配設されている縦状の羽根板とを備える外装用縦型ガラリであり、前記各羽根板は、前記建物の外部から内部方向へ延びる羽根板の幅方向略中央部における頂部と、この頂部から建物外部方向および建物内部方向へそれぞれ延びる両斜面部とから略三角形状に形成され、また、各羽根板における建物外部側端部および建物内部側端部にはそれぞれビスホールが形成されていると共に、各羽根板における建物外部側および建物内部側の端面である表面が曲面で形成されており、前記頂部には建物外部側に開口する溝部が形成されていると共に、この溝部における建物外部側および建物内部側の表面が曲面で形成され、また、前記頂部から建物外部方向へ延びる斜面部は建物内部側への凹状に湾曲した曲面で形成されていると共に、頂部から建物内部方向へ延びる斜面部は建物外部側への凹状に湾曲した曲面で形成されていることを特徴とする外装用縦型ガラリ」（「請求項１」、図１参照。）が記載されている。
【０００９】
また、特許文献３には、「帯状の板体からなる羽根板部材の複数個を縦方向に配置してなる竪型防水ルーバにおいて、該羽根板部材を幅方向断面Ｓ字状に構成し、その幅方向の２箇所の屈曲部の背部に屋外側に向けた突片部を備え、且つ該両屈曲部の間にビス孔兼水受けを設けてなることを特徴とする竪型防水ルーバ。」（「請求項１」、図２〜図７参照。）が記載されている。
【００１０】
また、特許文献４には、「上下左右の枠で構成されたガラリ枠の内側に、長手方向が上下方向とされて取り付けられる羽根であって、外見付け面と内見付け面とをつなぐ見込み面に水返し部が突設されてなるガラリ用羽根において、上記水返し部が見込み方向中央より屋内側から略円弧状をなすように突出されて、その先端折り返し部が上記見込み方向中央より屋外側に位置するように構成されていることを特徴とするガラリ用羽根」（「請求項１」、図１参照。）、「上記外見付け面に上記長手方向に伸長する集水用の溝が形成されている（「請求項２」、図１〜図３等参照。）」が記載されている。
【００１１】
また、特許文献５には、「間隔を置いて平行に複数配設されている縦状の羽根板を備え、隣り合う羽根板間で連結して曲がった通風路が形成されていることを特徴とするガラリ」（「請求項１」、図２、図３参照。）、「縦状の羽根板には連続した捕水用の溝が形成されていることを」（「請求項２」、図２、図３）が記載されている。
【００１２】
また、特許文献６には、「第一湾曲部、第二湾曲部及びこの第一湾曲部とこの第二湾曲部とを連結する連結部を備えており、この第一湾曲部及びこの第二湾曲部が、見込み方向に並設されており、この第一湾曲部が、見付け方向一方側に向かって凸な形状を呈しており、この第二湾曲部が、見付け方向一方側に向かって凸な形状を呈しており、この第二湾曲部の外側端部が、この第一湾曲部よりも見付け方向一方側に突出しており、上記連結部が、この第一湾曲部の内側端部から見付け方向一方側に向かって延在しており、この第二湾曲部の内側端部が、この第一湾曲部の内側端部よりも内側に位置しており、この第一湾曲部の内側端部と、この第二湾曲部の外側端部と、この連結部とから、保水溝が形成されるガラリ用縦羽根板」（「請求項１」、図５参照。）が記載されている。
【先行技術文献】
【特許文献】
【００１３】
【特許文献１】登録実用新案第３０５９８１０号公報
【特許文献２】特許第２８８０９１４号公報
【特許文献３】特開平１１−１６６３７６号公報
【特許文献４】特開２０００−１０４４６２号公報
【特許文献５】特開２００２−０８１２７３号公報
【特許文献６】特許第４１７７８３２号公報
【考案の概要】
【考案が解決しようとする課題】
【００１４】
上記特許文献１の「ガラリ」は、横羽根板で構成された一層型であり、「有効開口率は４７％強」を実現することができ、「ガラリの有効開口率を向上させることができる」（段落「００１７」、図参照。）と記載されている。しかしながら、特許文献１には、止水率については何ら記載がなく、例えば、特許文献３に「半ば伝統的に採られてきた羽根板材の設置方向を横方向にする形式のものについてよく観察すると、各羽根板で補集された雨水が順次下側の羽根板上に垂れ落ちて飛散し、ルーバ内に入り込み易いという弱点を有しており、また左右の横方向からの風雨に対する遮蔽効果も必ずしも充分ではなく」（段落「０００２」参照。）と記載されているように、特許文献１記載の「ガラリ」は、９５％以上の高い止水率を実現することができるかどうか不明である。
【００１５】
特許文献２に記載の「外装用縦型ガラリ１」は、「漏水率を低くするべく、各羽根板における頂部に溝部を設ける」（段落「００１１」、図１参照。）、「この外装用縦型ガラリ１における各羽根板４の頂部７には建物外部５側に開口する溝部11が形成されている」（段落「００１５」、図１参照。）、「この実施例での各羽根板４は、図１に示すように、頂部７と両斜面部８，９とからなる略三角形状の断面形状を有する」（段落「００１６」等参照。）と記載されているように、「斜面部８」と「斜面部９」の間には、「頂部７」に「溝部11」が一つしか形成されていないので、自然換気状態での９５％以上の高い止水率を実現することができるかどうか不明である。また、開口率については、何ら記載されていない。
【００１６】
特許文献３には、「本発明の羽根板部材は、その幅方向の断面がＳ字状であるため、その幅方向の２箇所（屈曲部）が断面湾曲状ないし断面円弧状に形成される。これらの２箇所の屈曲部の背部にそれぞれ突片部が設けられる。その突片部の腹部及び羽根板部材の背部により、上下方向に溝が形成され、これによって屋外から屋内への風雨の浸入を防ぎ、ここで雨滴を受止め、集めて流下させることができる」（段落「００１６」、図２〜図４等参照。）、「本発明の竪型防水ルーバにおいては開口率を５０％程度から６５％程度というようにすることができるが、３０〜５０％というようにもできるとは勿論である」（段落「００２３」参照。）と記載されており、開口率は向上しているものの、「屈曲部１１及び１２」には、止水のための構成としては、二つの「突片部１３、１５」しか設けられていないので、止水のための「溝部11」が一つのみの特許文献２の「外装用縦型ガラリ１」よりは、止水率が向上しているものの、９５％以上の高い漏水率は期待できないものと推量される。
【００１７】
特許文献４に記載の「ガラリ」は、「より良好な防水性能を得られるようにしたガラリ用羽根を提供する」（段落「０００７」参照。）という目的を実現するために、「上記のように、この例では水返し部３８は中心線ＣＬをよぎるように深く大きく設けられているため、図中、ハッチングで示した雨水が溜まる領域４１は図６に示した従来の羽根１６の雨水が溜まる領域２４より格段に広く、よって防水性能が大幅に向上されたものとなっている」（段落「００１１」、図１等参照。）ものである。ここで、「水返し部３８」を大きくすれば、「防水性能」は当然に向上するが、「水返し部３８」の突端と、隣接する「曲線部３４」との「最小間隙（Ｓ１）」が狭くなるので、開口率は低下する。特許文献４の「ガラリ」において、この「最小間隙」を広くして開口率を高めようとすると、逆に「防水性能」は劣化する。特許文献４には、開口率と防水性能との関係については、何ら記載されていないので、防水性能を高めるために、開口率は小さくしているものと推量される。
【００１８】
特許文献５に記載の「縦型ガラリ」においても、「羽根板間の連続して曲がった通風路で風雨の勢いを弱めて、羽根板の溝で捕水して漏水しないガラリを提供する」（段落「０００５」参照。）と記載されているように、「漏水率」の向上を目的としてものであり、「屋外部捕水壁２１、中間部捕水壁２２，２３、屋内部捕水壁２４の捕水溝２５に雨水が捕水され再び飛散することがなく捕水溝２５に沿って下方へ導びかれ速やかに屋外へ排水されるので屋内へ雨水が侵入することがない」（段落「００１２」、図１〜図３参照。）との記載はあるものの、開口率については、何ら記載されていない。「中間部捕水壁２２，２３」が、隣接する「羽根板２」間に水平に伸びているので、「最小間隙」は狭くなって開口率は下がることが推量され、逆に、開口率を上げるためにこの「最小間隙」を広げようとすると、「漏水率」は低下することが推量される。また、「羽根板間の連続して曲がった通風路で風雨の勢いを弱め」ると、必要換気量を達成できなくなる虞がある。
【００１９】
上記の特許文献１〜特許文献５に記載の発明に対して、特許文献６に記載の「ガラリ」は、「前述のガラリ用縦羽板１０においては、保水溝の数は２個であり、しかも略中央部に設けられている保水溝１１０は、Ｖ字形で奥行きが狭く、容量が小さいので、強い雨水が吹き付けられる場合、雨水が水返し部１０８からあふれ、屋内へ雨水が侵入するという問題がある。また、建物内に取り込まれる外気量も不十分である。本考案の目的は、良好な防水性能を有し、しかも換気機能も良好であるガラリ用縦羽板及びこれを用いたガラリの提供にある」（段落「０００４」〜「０００５」参照。）と記載されているように、一応、「止水率」と「開口率」の両方の向上を目的としたものであり、表１に、開口率、防水性試験の結果が、他社製品と比較して示され、特許文献６の図７に記載の「ガラリ用縦羽板８」を用いた「ガラリ」では、「開口率５０％」、及び、「風速30(m/s)」において「漏水量0.51(l)」であることが記載されている。
【００２０】
ここで、特許文献６の図５に記載の「ガラリ」は、開口率が４０％であり、「第一湾曲部５１」と「第二湾曲部５２」は、曲面の曲がり方向が同一方向であるので、止水率をさらに高めるために保水溝、つまり、水返し部の数を増やそうとすると、水返し部の突端と隣接する湾曲部との最小間隙（Ｓ１）が狭くなり、開口率は４０％より低下するものと推量される。そして、特許文献６の図７に記載の「ガラリ」は、「第一湾曲部５１」及び「第二湾曲部５２」と曲がり方向が逆となる「第４湾曲部８５」及び「第５湾曲部８６」をさらに設けることで、「保水溝」の数を増やすことで漏水量を小さくすることにより、開口率を５０％に向上させることを実現しているものと推量される。しかしながら、仮に、特許文献６の図５に記載の「ガラリ」の枠体と同サイズで図７に記載の「ガラリ」を構成しようとすると、各々の「湾曲部」、「保水溝」、「水返し部」のサイズも小さくなり、「漏水性能」が劣化してしまうので、特許文献６の図７に記載の「ガラリ」は、特許文献６の図５に記載の「ガラリ」よりも見込み方向寸法を大きくしているものと推量される。
【００２１】
そこで、本考案においては、開口率と止水率の両方を向上させることができるガラリを提供することを目的とする。
【課題を解決するための手段】
【００２２】
上記の目的を達成するため、請求項１に記載の考案は、外見付け部と内見付け部とを有するガラリ用の縦羽根板が見付け方向に複数並設されたガラリであって、前記縦羽根板は、少なくとも第１の湾曲部と第２の湾曲部を有し、前記第１の湾曲部は、見付け方向の一方側に凸面を有し、前記第２の湾曲部は、前記見付け方向の他方側に凸面を有し、前記外見付部の内側には第１のビス孔形成部が設けられ、該第１のビス孔形成部には、前記第１の湾曲部の一方の端部が連接され、前記第１の湾曲部の他方の端部には、前記見付け方向の一方側に突出して、第１の止水溝と第１の誘導フィンが形成された第１の止水部が設けられ、かつ、前記見付け方向の他方側に突出して、第２の止水溝が形成された第２の止水部が設けられ、前記第１の湾曲部と、前記第１の止水部と、前記第２の止水部と、前記第２の湾曲部は、見込み方向に沿って連設され、前記内見付け部には、第３の止水溝と第２の誘導フィンとが形成された第３の止水部と、第２のビス孔形成部とが、見付け方向に連接して設けられ、前記第１の止水溝、前記第２の止水溝、前記第３の止水溝の底部には、曲面状に形成されて水滴状の雨水を集水可能な水滴誘導溝が形成され、前記第１の誘導フィンは、前記第１の湾曲部の曲面に沿って誘導された雨風を、前記見付方向の一方側に並設された縦羽根板の第２の止水部へ誘導可能に構成されていることを特徴とする。
【００２３】
また、請求項２に記載の考案は、請求項１に記載のガラリであって、前記第２の湾曲部の内側端部には、前記見付け方向の他方側に突出して第４の止水溝と第３の誘導フィンが形成された第４の止水部が連接され、前記第４の止水溝の底部には、曲面状に形成されて水滴状の雨水を集水可能な水滴誘導溝が形成され、前記第３の誘導フィンは、前記第２の湾曲部の曲面に沿って誘導された雨風を、前記見付方向の他方側に並設された縦羽根板の前記第３の止水部へ誘導可能に構成され、前記第２の湾曲部と、前記第４の止水部と、前記第２のビス孔形成部とは、見込み方向に沿って連設されていることを特徴とする。
【００２４】
また、請求項３に記載の考案は、請求項１に記載のガラリであって、前記第２の湾曲部の内側端部には、前記見付け方向の他方側に突出して第４の止水溝と第３の誘導フィンが形成された第４の止水部が連設され、かつ、前記見付け方向の一方側に突出して、第５の止水溝が形成された第５の止水部が連接され、前記第５の止水部に連接して、前記見付方向の一方側に凸面を有する第３の湾曲部が形成され、該第３の湾曲部と前記第２のビス孔との間には、前記見付方向の一方側に突出して、第６の止水溝と第４の誘導フィンが形成された第６の止水部が設けられ、前記第４の止水溝、前記第５の止水溝、前記第６の止水溝の底部には、曲面状に形成されて水滴状の雨水を集水可能な水滴誘導溝が形成され、
前記第３の誘導フィンは、前記第２の湾曲部の曲面に沿って誘導された雨風を、前記見付方向の他方側に並設された縦羽根板の前記第５の止水部又は前記第６の止水部へ誘導可能に構成され、前記第４の誘導フィンは、前記第５の止水部又は前記第６の止水部で止水されなかった雨水を、前記見付方向の一方側に並設された縦羽根板の第３の止水部へ誘導可能に構成され、前記第２の湾曲部と、前記第４の止水部と、前記第５の止水部と、前記第６の止水部と、前記第２のビス孔形成部とは、見込み方向に沿って連設されている
ことを特徴とする。
【００２５】
また、請求項４に記載の考案は、請求項１乃至請求項３のいずれか１項に記載のガラリであって、少なくとも、前記第１の湾曲部の凸面、又は、前記第２の湾曲部の凸面のいずれか一方に、止水溝を有する止水部が形成されていることを特徴とする
【考案の効果】
【００２６】
本考案のガラリによれば、開口率と止水率の両方を向上させることができる。
【図面の簡単な説明】
【００２７】
【図１】本考案の第一実施形態のガラリの縦羽根板の構成の説明図である。
【図２】本考案の第二実施形態のガラリの縦羽根板の構成の説明図である。
【図３】本考案の第三実施形態のガラリの縦羽根板の構成の説明図である。
【図４】本考案の第四実施形態のガラリの縦羽根板の構成の説明図である。
【図５】図１〜図４の縦羽根板の水滴誘導部の説明図である。
【図６】本考案のガラリの作用説明図である。
【図７】本考案の第一実施形態のガラリの縦断面図である。
【考案を実施するための形態】
【００２８】
以下、好適な実施の形態を用いて本考案をさらに具体的に説明する。但し、下記の実施の形態は本考案を具現化した例に過ぎず、本考案はこれに限定されるものではない。図中の矢印は、方向を示し、図の説明に記載の方向と対応している。
【００２９】
（第一実施形態）
本考案の第一実施形態のガラリ１０の縦羽根板の構成について、図１を参照しながら説明する。図１では、縦羽根板の構成のみを示し、縦羽根板が取り付けられる矩形状のガラリ枠体（上枠、左枠、右枠、下枠）は図示していない。また、第一実施形態のガラリ１０は、横羽根板と縦羽根板を備えた複層型（二層型ともいう。）のガラリであるが、縦羽根板に特徴があるので、横羽根板も図示していない。
【００３０】
図１に示すように、ガラリ１０には、同一形状の縦羽根板１５が、左右の縦枠（不図示）間の見付け方向に、等間隔のピッチで複数並設されている。図１の紙面上側が、ガラリ１０が取付けられる建物等の外側であり、縦羽根板１５の外側端部には、雨風の侵入を遮蔽する外見付け部１１が形成されている。また、図１の紙面下側が、ガラリ１０が取付けられる建物等の内側（例えば、室内側）であり、縦羽根板１５の内側端部には内見付け部１２が形成されている。
【００３１】
外見付け部１１の外側の面、及び、内見付け部１２の内側の面には、加工用の目印であるＶ溝が形成されている。外見付け部１１、内見付け部１２には、それぞれ、見込み方向のガラリ内部側に、第１のビス孔形成部Ｂ１、第２のビス孔形成部Ｂ２が形成されている。なお、ガラリ１０の内部を、単に「内部」といい、ガラリ１０の縦枠方向（図１の左右方向）の外部を、単に「外部」ということがある。第１のビス孔形成部Ｂ１のビス孔は、縦羽根板１５の外側上端部と上枠をビスで螺設可能な螺孔であり、第２のビス孔形成部Ｂ２のビス孔は、縦羽根板１５の内側上端部と、上枠とをビスで螺設可能な螺孔である。各ビス孔は、縦羽根板１５の上下方向に連通しており、止水溝としても機能する。
【００３２】
図１において、隣接する縦羽根板１５同士の間隙には換気のための換気孔が形成されており、外側開口面側には外側開口部ＯＲが形成され、内側開口面側には内側開口部ＩＲが形成され、内部には内部空間部ＩＳが形成されている。縦羽根板１５には、見込み方向に沿って第１の湾曲部ＣＰ１と第２の湾曲部ＣＰ２が設けられている。第１の湾曲部ＣＰ１は、見付け方向の左側に向かって膨出した円弧状の凸面を有しており、外側端部は第１のビス孔形成部Ｂ１に連結され、内側端部には、見付け方向の左側に向かって突出した第１の止水部Ｓ１が形成されている。また、第１の湾曲部ＣＰ１の内側端部には、見付方向の右側に向かって突出した第２の止水部Ｓ２が形成され、この第２の止水部Ｓ２には、見付け方向の右側に向かって膨出した円弧状の凸面を有する第２の湾曲部ＣＰ２が連設されている。つまり、縦羽根板本体部１５は、第１の湾曲部ＣＰ１と第１の止水部Ｓ１と第２の止水部Ｓ２と第２の湾曲部ＣＰ２とが、見込み方向に沿って連設された構成となっている。
【００３３】
第１の止水部Ｓ１には、第１の湾曲部ＣＰ１の内側端部から左側に延出して形成された突片Ｓ１ｂと、突片Ｓ１ｂの先端に、一旦外側方向に延出した後、内側方向に折り返して形成された第１の誘導フィンＦ１とが設けられている。第１の湾曲部ＣＰ１と突片Ｓ１ｂと第１の誘導フィンＦ１とで第１の止水溝Ｓ１ａを形成しており、第１の止水溝Ｓ１ａは、見付け方向左側に開口されたＵ字状をなし、底部には、さらに、水滴誘導溝ＧＣ（図５参照。詳細は後述する。）が形成されている。第１の止水溝Ｓ１ａの左側の溝壁は、突片Ｓ１ｂと第１の誘導フィンＦ１を利用して形成されている。また、第１の止水溝Ｓ１ａの右側の溝壁は、第１の湾曲部ＣＰ１の円弧状の突面を利用して形成されている。第１の止水部Ｓ１の大きさ、傾斜角度は、内部空間部ＩＳの最小間隙が、開口寸法より小さくならないように、最適設計されている。
【００３４】
第２の止水部Ｓ２には、第１の湾曲部ＣＰ１の内側端部から右側に延出して形成された突片Ｓ２ｂと、突片Ｓ２ｂの先端に外側方向に延出して形成された水返し片Ｓ２ｃとが設けられている。第１の湾曲部ＣＰ１と突片Ｓ２ｂと水返し片Ｓ２ｃとで第２の止水溝Ｓ２ａを形成しており、第２の止水溝Ｓ２ａは、見付け方向右側に開口されたＵ字状をなし、底部には、さらに、水滴誘導溝ＧＣ（図５参照。詳細は後述する。）が形成されている。第２の止水溝Ｓ２ａの左側の溝壁は、第１の湾曲部ＣＰ１の円弧状の凹面を利用して形成されている。また、第２の止水溝Ｓ２ａの右側の溝壁は、突片２ｂと水返し片Ｓ２ｃを利用して形成されている。この第２の止水溝Ｓ２ａは、侵入した雨水の跳ね返りを低減して集水するために充分な大きさ・容量であり、止水率を高めることができる。第２の止水部Ｓ２の大きさ、傾斜角度は、内部空間部ＩＳの最小間隙が、開口寸法より小さくならないように、最適設計されている。
【００３５】
内見付け部１２の内部側には、第３の止水溝Ｓ３ａを有する第３の止水部Ｓ３が突出して形成されている。第３の止水溝Ｓ３ａは、内見付け部１２の見付け方向から内部方向に折り返された二つの水返し片Ｓ３ｂ，Ｓ３ｃを設けることで、第３の止水溝Ｓ３ａを二つに分割して形成している。二つの水返し片Ｓ３ｂ，Ｓ３ｃのうち、内見付け部１２の右側端部に設けられた水返し片Ｓ３ｂは、第２の誘導フィンＦ２としての作用・機能を有する。第３の止水部Ｓ３に連接して第２のビス孔形成部Ｂ２が形成されている。第３の止水部Ｓ３は、第２のビス孔形成部Ｂ２よりも、見付け方向右側に突出している。
【００３６】
第３の止水部Ｓ３も、侵入した雨水の跳ね返りを低減して集水するために充分な大きさ・容量であり、止水率をさらに高めることができる。第３の止水部Ｓ３の大きさ、傾斜角度は、内部空間部ＩＳの最小間隙が、開口寸法より小さくならないように最適設計されている。
【００３７】
第一実施形態では、第１のビス孔形成部Ｂ１、第１の湾曲部ＣＰ１、第１の止水部Ｓ１、第２の止水部Ｓ２、第２の湾曲部ＣＰ２、第２のビス孔形成部Ｂ２が、見込み方向に沿って連設された構成である。なお、第７の止水部Ｓ７、第７の止水溝Ｓ７ａ、突片Ｓ７ｂについては後述する。
【００３８】
（第二実施形態）
次に、本考案の第二実施形態のガラリ２０について、図２を参照しながら説明する。
第二実施形態のガラリ２０は、羽根板として縦羽根板のみを備えた一層型ガラリである。第二実施形態の縦羽根板２５の、第一実施形態の縦羽根板１５との主な相違点は、第２の湾曲部ＣＰ２と第２のビス孔形成部Ｂ２との間に、第４の止水部Ｓ４が設けられている点である。以下、第一実施形態との相違点を中心に説明する。
【００３９】
第二実施形態のガラリ２０に備えられた縦羽根板２５において、第２湾曲部ＣＰ２の内側端部には、見付け方向右側に突出して、第４の止水部Ｓ４が形成されている。第４の止水部Ｓ４には、第２の湾曲部ＣＰ２の内側端部から右側に延出して形成された突片Ｓ４ｂと、突片Ｓ４ｂの先端に内部方向に「くの字」状に折り返して形成された第３の誘導フィンＦ３とが設けられている。第２の湾曲部ＣＰ２と突片Ｓ４ｂと第３の誘導フィンＦ３とで第４の止水溝Ｓ４ａを形成しており、第４の止水溝Ｓ４ａは、見付け方向右側に開口されたＵ字状をなし、底部には、さらに、水滴誘導溝ＧＣ（図５参照。詳細は後述する。）が形成されている。第４の止水溝Ｓ４ａの左側の溝壁は、第２の湾曲部ＣＰ２の円弧状の凸面を利用して形成されている。また、第４の止水溝Ｓ４ａの右側の溝壁は、突片Ｓ４ｂと第３の誘導フィンＦ３を利用して形成されている。第４の止水部Ｓ４は、第２のビス孔形成部Ｂ２に連接されている。第４の止水部Ｓ４も、侵入した雨水の跳ね返りを低減して集水するために充分な大きさ・容量であり、止水率をさらに高めることができる。第４の止水部Ｓ４の大きさ、傾斜角度は、内部空間部ＩＳの最小間隙が、開口寸法より小さくならないように最適設計されている。
【００４０】
また、第二実施形態では、第３の止水部Ｓ３は、第２のビス孔形成部Ｂ２よりも見付け方向左側に突出して設けられ、第３の止水溝Ｓ３ａは、分割されず、一つの溝で形成されている。つまり、第３の止水溝Ｓ３ａは、内見付け部１２の見付け方向から内部方向に折り返された一つの水返し片Ｓ３ｂを設けることで、第３の止水溝Ｓ３ａを形成している。水返し片Ｓ３ｂは、第２の誘導フィンＦ２としての作用・機能を有する。第３の止水部Ｓ３も、侵入した雨水の跳ね返りを低減して集水するために充分な大きさ・容量であり、止水率をさらに高めることができる。第３の止水部Ｓ３の大きさ、傾斜角度は、内部空間部ＩＳの最小間隙が、開口寸法より小さくならないように最適設計されている。
【００４１】
第二実施形態では、第１のビス孔形成部Ｂ１、第１の湾曲部ＣＰ１、第１の止水部Ｓ１、第２の止水部Ｓ２、第２の湾曲部ＣＰ２、第４の止水部Ｓ４，第２のビス孔形成部Ｂ２が、見込み方向に沿って連設された構成である。
【００４２】
（第三実施形態）
次に、本考案の第三実施形態のガラリ３０について、図３を参照しながら説明する。第三実施形態のガラリ３０は、羽根板として縦羽根板のみを備えた一層型ガラリである。第三実施形態の縦羽根板３５の、第二実施形態の縦羽根板２５との主な相違点は、第４の止水部Ｓ４と第２のビス孔形成部Ｂ２との間に、第５の止水部Ｓ５と、第３の湾曲部ＣＰ３と、第６の止水部Ｓ６が設けられている点である。以下、第二実施形態との相違点を中心に説明する。
【００４３】
第三実施形態のガラリ３０に備えられた縦羽根板３５において、第２湾曲部ＣＰ２の内側端部には、前述の第４の止水部Ｓ４に加え、さらに、見付け方向左側に突出して第５の止水部Ｓ５が形成されている。第５の止水部Ｓ５には、第２の湾曲部ＣＰ２の内側端部から左側に延出して形成された突片Ｓ５ｂと、突片Ｓ５ｂの先端に外側方向に延出して形成された水返し片Ｓ５ｃとが設けられている。第２の湾曲部ＣＰ２と突片Ｓ５ｂと水返し片Ｓ５ｃとで第５の止水溝Ｓ５ａを形成しており、第５の止水溝Ｓ５ａは、見付け方向左側に開口されたＵ字状をなし、底部には、さらに、水滴誘導溝ＧＣ（図５参照。詳細は後述する。）が形成されている。第５の止水溝Ｓ５ａの右側の溝壁は、第２の湾曲部ＣＰ２の円弧状の凹面を利用して形成されている。また、第５の止水溝Ｓ５ａの左側の溝壁は、突片５ｂと水返し片Ｓ５ｃを利用して形成されている。
【００４４】
第５の止水部Ｓ５には、第１湾曲部ＣＰ１と同一方向に凸面を有する第３の湾曲部ＣＰ３が形成され、第３の湾曲部ＣＰ３の内側端部には、見付け方向左側に突出して第６の止水部Ｓ６が形成されている。第６止水部Ｓ６には、第３湾曲部ＣＰ３内側端部から左に延出して形成された突片Ｓ６ｂと、突片Ｓ６ｂの先端に内部方向に「逆くの字」状に折り返して形成された第４の誘導フィンＦ４とが設けられている。第３の湾曲部ＣＰ３と突片Ｓ６ｂと第４の誘導フィンＦ４とで第６の止水溝Ｓ６ａを形成しており、第６の止水溝Ｓ６ａは、見付け方向左側に開口されたＵ字状をなし、底部には、さらに、水滴誘導溝ＧＣ（図５参照。詳細は後述する。）が形成されている。第６の止水溝Ｓ６ａの右側の溝壁は、第３の湾曲部ＣＰ３の円弧状の凸面を利用して形成されている。また、第６の止水溝Ｓ６ａの左側の溝壁は、突片６ｂと第３の誘導フィンＦ４を路用して形成されている。第６の止水部Ｓ６は、第２のビス孔形成部Ｂ２に連接されている。
【００４５】
第５の止水部Ｓ５及び第６の止水部Ｓ６は、侵入した雨水の跳ね返りを低減して集水するために充分な大きさ・容量であり、止水率をさらに高めることができる。第５の止水部Ｓ５、第６の止水部Ｓ６の大きさ、傾斜角度は、内部空間部ＩＳの最小間隙が、開口寸法より小さくならないように設計されている。
【００４６】
第６の止水部Ｓ６には、第２のビス孔形成部Ｂ２が連接されている。第三実施形態では、第３の止水部Ｓ３は、第２のビス孔形成部Ｂ２よりも、見付け方向右側に突出しており、第３の止水溝Ｓ３ａは、分割されずに、一つの止水溝で形成されている。
【００４７】
第三実施形態では、第１のビス孔形成部Ｂ１、第１の湾曲部ＣＰ１、第１の止水部Ｓ１、第２の止水部Ｓ２、第２の湾曲部ＣＰ２、第４の止水部Ｓ４、第５の止水部Ｓ５、第３の湾曲部ＣＰ３、第６の止水部Ｓ６、第２のビス孔形成部Ｂ２が、見込み方向に沿って連設された構成である。
【００４８】
なお、第二実施形態の第３の誘導フィンＦ３は、突片Ｓ４ｂの先端に略「くの字」状に折り返し片を設けて形成されているのに対し、第三実施形態の誘導フィンＦ３は、突片Ｓ４ｂの先端に、略「への字」状に折り返し片を設けて形成されているが、突片Ｓ４ｂの先端からどのように折返して誘導フィンを形成するかは、開口率、止水率等を考慮して最適設計される。
【００４９】
（第四実施形態）
次に、本考案の第四実施形態のガラリ４０について、図４を参照しながら説明する。
第四実施形態のガラリ４０は、羽根板として縦羽根板のみを備えた一層型ガラリである。第四実施形態の縦羽根板４５の、第三実施形態の縦羽根板４５との相違点は、第１の湾曲部ＣＰ１の凸面に第７の止水部Ｓ７を形成し、第２の湾曲部ＣＰ２の凸面に第８の止水部Ｓ８を形成した点にある。第７の止水部Ｓ７は、第１の湾曲部ＣＰ１の凸面上に外側方向に延出して形成された突片Ｓ７ｂと、第１の湾曲部ＣＰ１の凸面とで、第７の止水溝Ｓ７ａを形成している。第８の止水部Ｓ８は、第２の湾曲部ＣＰ２の凸面上に外側方向に延出して形成された突片Ｓ８ｂと、第２の湾曲部ＣＰ２の凸面とで、第８の止水溝Ｓ８ａを形成している。
【００５０】
第７の止水部Ｓ７、第８の止水部Ｓ８も、侵入した雨水の跳ね返りを低減して集水するために充分な大きさ・容量であり、止水率をさらに高めることができる。第７の止水部Ｓ７、第８の止水部Ｓ８の大きさ、傾斜角度は、最小間内部空間部ＩＳ隙が、開口寸法より小さくならないように、最適設計されている。第四実施形態の第７の止水部Ｓ７と同様の構成は、図１、図２に示すように、第１の実施形態の縦羽根板１５、第２実施形態の縦羽根板２５に形成されてもよい。
【００５１】
［水滴誘導溝の説明］
次に、さらに、止水率を向上させるために形成された水滴誘導溝ＧＣについて説明する。水滴誘導溝ＧＣは、第一〜第四実施形態に共通に用いられる。第１，第２，第４〜第６の止水部Ｓ１，Ｓ２，Ｓ４〜Ｓ６には、Ｕ字状の各止水溝Ｓ１ａ，Ｓ２ａ，Ｓ４ａ，Ｓ５ａ，Ｓ６ａの底部に曲面状に水滴誘導溝ＧＣが形成されている。図５は、第二実施形態の第４の止水部Ｓ４（第４の止水溝Ｓ４ａ）に設けられた水滴誘導溝ＧＣを説明する拡大図である。図５（ａ）は、水滴誘導溝ＧＣの横断面を示しており、図５（ｂ）は、図５（ａ）のＡ−Ａ線断面図である。図示するように、Ｕ字状の第４の止水溝Ｓ４ａに流入した水滴状の雨水ＤＷは、第２の湾曲部ＣＰ２の凸面を延長して形成された凹面を利用して形成される溝壁Ｓ４ｃと、突片Ｓ４ｂ及び第３の誘導フィンＦ３で形成される溝壁Ｓ４ｄとに沿って集水されて重量が増加し、円弧状の曲面で形成された水滴誘導溝ＧＣによって下方の排水口（不図示）への流下が加速される。これにより、溝壁Ｓ４ｃ，Ｓ４ｄに雨水が溜まることが低減され、雨水の飛散が低減されるので、止水率が向上する。
図５は、第４の止水部Ｓ４を例にとって示したが、第１，第２，第５，第６の止水部Ｓ１，Ｓ２，Ｓ５，Ｓ６でも同様の作用を奏する。なお、第一〜第四実施形態では、複数の止水溝（Ｕ字状の曲面を有する止水溝）に水滴誘導溝ＧＣを形成している。当然に、より多くの水滴誘導溝を形成した方が止水率は高くなるが、要求される止水率に応じて、どの止水溝に水滴誘導溝を設けるかは、適宜調整することができる。例えば、ガラリに備えられているいずれか一つの止水溝に水滴誘導溝を形成するようにしてもよい。なお、止水率向上のために、第３の止水溝Ｓ３ａの底部に一つ以上の水滴誘導溝ＧＣを形成してもよい。
【００５２】
［作用・機能の説明］
次に、本発明のガラリの作用・機能について第四の実施形態のガラリ４５を中心に図６を参照しながら説明する。説明の便宜上、図示するように、着目する縦羽根板を４５、縦羽根板４５の左側に隣接する縦羽根板を４５Ｌ、右側に隣接する縦羽根板を４５Ｒとする。縦羽根板４５，４５Ｌ、４５Ｒは、全て同一形状である。図６に示すように、隣接する縦羽根板４５，４５Ｌ間に形成された外側開口部ＯＲから侵入する雨風は、まず、縦羽根板４５の第１の湾曲部ＣＰ１の凸面に沿って誘導される。そして、雨水は、縦羽根板４５の第７の止水部Ｓ７（第７の止水溝Ｓ７ａ）、及び、縦羽根板４５の第１の止水部Ｓ１で受け止められる。第１の止水部Ｓ１の止水溝Ｓ１ａはＵ字状に形成されているので、雨水を止水溝Ｓ１ａで受ける衝撃が緩和され、雨水が飛散せずに止水される。第７の止水部Ｓ７、及び、第１の止水部Ｓ１で止水された雨水は、集水されてガラリ４５の下端の排水口（不図示）へ流下されて排水される。
【００５３】
次に、縦羽根板４５の第１の湾曲部ＣＰ１で誘導された雨風は、縦羽根板４５の第１の誘導フィンＦ１で強制的に誘導されて、左側に隣接する縦羽根板４５Ｌの第２の止水部Ｓ２で受け止められ、縦羽根板４５の第７の止水部Ｓ７、第１の止水部Ｓ１で止水しきれなかった雨水は、縦羽根板４５Ｌの第２の止水部Ｓ２で止水される。第２の止水部Ｓ２は、Ｕ字状に形成された第２の止水溝Ｓ２ａを有するので、雨水を受ける衝撃が緩和され、雨水が飛散せずに止水される。縦羽根板４５Ｌの第２の止水部Ｓ２で止水された雨水は、集水されて下端の排水口（不図示）へ流下されて排水される。
【００５４】
縦羽根板４５Ｌの第２の止水部Ｓ２で止水しきれなかった雨水の一部は、縦羽根板４５Ｌの第２の湾曲部ＣＰ２の凸面に沿って流れ、縦羽根板４５Ｌの第８の止水部Ｓ８又は第４の止水部Ｓ４で受け止められ止水される。第４の止水部Ｓ４は、Ｕ字状に形成された第４の止水溝Ｓ４ａを有するので、雨水を受ける衝撃が緩和され、雨水が飛散せずに止水される。縦羽根板４５Ｌの第８の止水部Ｓ８及び第４の止水部Ｓ４で止水された雨水は、集水されて下端の排水口（不図示）へ流下されて排水される。
【００５５】
縦羽根板４５の第１の誘導フィンＦ１で誘導された風は、縦羽根板４５Ｌの第２の湾曲部ＣＰ２の凸面に沿って誘導された後、縦羽根板４５Ｌの第４の止水部Ｓ４に設けられた第３の誘導フィンＦ３により、強制的に縦羽根板４５の第５の止水部Ｓ５又は第６の止水部Ｓ６に誘導される。第５の止水部Ｓ５は、Ｕ字状に形成された第５の止水溝Ｓ５ａを有し、第６の止水部Ｓ６は、Ｕ字状に形成された第６の止水溝Ｓ６ａを有するので、雨水を受ける衝撃が緩和され、雨水が飛散せずに止水される。縦羽根板４５の第７の止水部Ｓ７，第１の止水部Ｓ１、縦羽根板４５Ｌの第２の止水部Ｓ２，第８の止水部Ｓ８，第４の止水部Ｓ４で止水しきれなかった雨水は、この縦羽根板４５の二つの第５の止水部Ｓ５又は第６の止水部Ｓ６で止水、集水されて、下端の排水口（不図示）へ流下されて排水される。
【００５６】
縦羽根板４５の第５，第６の止水部Ｓ５，Ｓ６で止水しきれなかった雨水は、縦羽根板４５の第６の止水部Ｓ６の第４の誘導フィンＦ４で誘導され縦羽根板４５Ｌの第３の湾曲部ＣＰ３の凹面に沿って流れ、縦羽根板４５Ｌの第３の止水部Ｓ３で受け止められ止水される。実際には、この段階では、すでに外側開口部ＯＲから流入した雨水は殆ど（９５％以上）止水されており、換気用の風のみが内側開口部ＩＲから室内に送られることになる。第２の誘導フィンＦ２は、前記換気用風を内側開口部ＩＲへ誘導する機能を有している。
【００５７】
なお、第一〜第三実施形態のガラリ１０，２０，３０の作用・機能については、上述した第四実施形態のガラリ４０の作用・機能の説明から容易に理解できるので、説明を省略する。また、水滴誘導溝ＧＣの作用・機能については、上記［水滴誘導溝の説明］を参照のこと。
【００５８】
以上のように、本発明の縦羽根板には、止水溝又は誘導フィンのいずれかが少なくとも一つ以上形成された止水部を備えており、従来のガラリに比べて止水率を非常に高くすることができる。
また、縦羽根板の形状が曲面の組み合わせのため、空気がスムーズに流れ、雨水が曲面に遠心力で押しつけられ、止水率が向上する。したがって、本発明のガラリが取付けられた建物の室内には、外部から侵入した雨風のうち雨（水滴）が確実に止水され、風のみが流入し、良好な換気を行うことができる。
なお、第一の実施形態のガラリ１０は、複層型のガラリであり、横羽根板を有するので、横羽根板を通過後に縦羽根板１５の外側開口部ＯＲから流入する雨風は、第二〜第四実施形態の一層型のガラリ２０，３０，４０に比べ、雨水の量が低減されているので、最終的な止水率は、第一〜第四実施形態のガラリ全てにおいて有意差はなく、９５％以上の止水率を実現することができる。
【００５９】
［ガラリ枠体への取付け］
図７は、第一実施形態の二層型ガラリ１０の縦断面図を説明する図である。矩形状のガラリ枠体を構成する左枠ＬＦ，右枠ＲＦの間に、第一実施形態の縦羽根板１５が複数並設されている。二層型ガラリでは、外側に横羽根板１６、内側に縦羽根板１５が配設される。横羽根板１６、縦羽根板１５は、適宜、ガラリ枠板を構成する上枠、左枠、右枠、下枠のいずれかにビス等の螺設手段によって着脱可能に取付らけれている。一層型ガラリの場合は、横羽根板は配設されず、羽根板としては、縦羽根板のみをガラリの見込み方向一杯に配設される。
【００６０】
以上説明したように、本考案のガラリによれば、開口率と止水率を同時に向上させることができる。
【符号の説明】
【００６１】
１０，２０、３０，４０      ガラリ
１１      外見付け部
１２      内見付け部
１５，２５，３５，４５，４５Ｌ，４５Ｒ    縦羽根板
１６      横羽根板
Ｂ１      第１のビス孔形成部
Ｂ２      第２のビス孔形成部
ＣＰ１    第１の湾曲部
ＣＰ２    第２の湾曲部
ＣＰ３    第３の湾曲部
ＤＷ      雨水（水滴）
Ｆ１      第１の誘導フィン
Ｆ２      第２の誘導フィン
Ｆ３      第３の誘導フィン
Ｆ４      第４の誘導フィン
ＧＣ      水滴誘導溝
ＩＲ      内側開口部
ＩＳ      内部空間部
ＯＲ      外側開口部
ＬＦ      左枠
ＲＦ      右枠
Ｓ１      第１の止水部
Ｓ１ａ    第１の止水溝
Ｓ２      第２の止水部
Ｓ２ａ    第２の止水溝
Ｓ３      第３の止水部
Ｓ３ａ    第３の止水溝
Ｓ４      第４の止水部
Ｓ４ａ    第４の止水溝
Ｓ５      第５の止水部
Ｓ５ａ    第５の止水溝
Ｓ６      第６の止水部
Ｓ６ａ    第６の止水溝
Ｓ７      第７の止水部
Ｓ７ａ    第７の止水溝
Ｓ８      第８の止水部
Ｓ８ａ    第８の止水溝
Ｓ１ｂ，Ｓ２ｂ，Ｓ４ｂ，Ｓ５ｂ，Ｓ６ｂ，Ｓ７ｂ，Ｓ８ｂ    突片
Ｓ２ｃ，Ｓ３ｂ，Ｓ３ｃ，Ｓ５ｃ    水返し片
Ｓ４ｃ，Ｓ４ｄ    溝壁
【図１】
0003208185.tif 000003
【図２】
0003208185.tif 000004
【図３】
0003208185.tif 000005
【図４】
0003208185.tif 000006
【図５】
0003208185.tif 000007
【図６】
0003208185.tif 000008
【図７】
0003208185.tif 000009